(57)【要約】  一連のブリスターパック（１）を含む包装材の収集方法であって、ブリスターに含まれる製品（Ｐ）を使用した後、空になった一連のブリスターパックが蛇腹の折り畳みを形成し、ブリスター（５）はすべて、互い違いに積み重ねたときにそれらの空洞が互いに嵌合するような方法で、ブリスターの連の繰り返し単位が連結されるように、前記連（１）内において同じ形状であることを特徴とする、収集方法。【選択図】図２
2021500274.tif 000002
【特許請求の範囲】
【請求項１】
一連のブリスターパック（１）を含む包装材の収集方法であって、
ブリスターに含まれる製品（Ｐ）を使用した後、空になった一連のブリスターパックが蛇腹の折り畳みを形成し、
ブリスター（５）はすべて、互い違いに（in an alternating way）積み重ねたときにそれらの空洞が互いに嵌合するような方法で、ブリスターの連の繰り返し単位が連結されるように、前記連（１）内において同じ形状であることを特徴とする、収集方法。
【請求項２】
前記ブリスターパック（２）が互い違いに（in an alternating manner）配置され、パック間に折り畳み可能領域（３）を有する、請求項１に記載の収集方法。
【請求項３】
前記製品（Ｐ）の使用前、前記ブリスターパック（２）が、蛇腹の折り畳みにおいて、折り畳み可能領域で４０°〜１８０°の角度（α）にある、請求項２に記載の収集方法。
【請求項４】
前記製品（Ｐ）の使用後、前記ブリスターパック（２）が、コンパクトな蛇腹の折り畳みにおいて、折り畳み可能領域で０°〜２５°の角度（α）にある、請求項２に記載の収集方法。
【請求項５】
前記折り畳み可能領域（３）が、脆弱線（a line of weakness）（４）を含む、請求項２〜４のいずれか１項に記載の収集方法。
【請求項６】
前記一連（１）のブリスターパックが、少なくとも２つの製品の使用後、前記連内でコンパクトな蛇腹の折り畳みを形成する、請求項１〜５のいずれか１項に記載の収集方法。
【請求項７】
前記製品（Ｐ）が、全製品組成に対して５０重量％未満の水を含む、請求項１〜６のいずれか１項に記載の収集方法。
【請求項８】
製品（Ｐ）がＦＭＣＧ製品である、請求項１〜７のいずれか１項に記載の収集方法。
【請求項９】
製品（Ｐ）が、パーソナルケア、ホームケアまたは食品製品である、請求項１〜８のいずれか１項に記載の収集方法。
【請求項１０】
前記ブリスター（５）が、生分解性またはリサイクル可能なプラスチックで作られている、請求項１〜９のいずれか１項に記載の収集方法。
【請求項１１】
前記ブリスターパックが、生分解性またはリサイクル可能な材料で作られた裏材を有する、請求項１〜１０のいずれか１項に記載の収集方法。
【請求項１２】
前記連が、吊り下げられた連である、請求項１〜１１のいずれか１項に記載の収集方法。
【請求項１３】
各ブリスターパックが、製品（Ｐ）の一単位用量を提供する、請求項１〜１２のいずれか１項に記載の収集方法。
【発明の詳細な説明】
【技術分野】
【０００１】
本発明は、包装の分野、特に、ＦＭＣＧ製品の包装に関するものである。
【背景技術】
【０００２】
ＦＭＣＧ製品の小袋（sache）パックのコンセプトは以前から存在する。このアイデアは、ＦＭＣＧ製品を一般の人に入手可能であり、かつ、手頃な価格にする方法として、アジア市場で誕生した。
【０００３】
小袋は、特定の製品を使用したいが価格の制約や一次取得者に対する消費者の不確実性などの理由によりフルサイズのパックを購入する考えに反対する消費者にとっては、素晴らしい選択肢である。小袋は、浸透率の高くない製品の消費を促進するのにも役立つことが知られている。
【０００４】
小袋包装は通常は、プラスチックとアルミニウムとの薄膜のサンドイッチラミネート形態からできており、発展途上および開発途上の市場セグメントの多くを獲得しており、低所得層のコミュニティが、高品質の製品、例えば、シャンプー、歯磨き粉、ローション、調味料、通常のボトルや容器の包装では実現できない、すぐに食べられる食品や飲料水でさえも享受することを可能にした。
【０００５】
小袋は低所得コミュニティに高品質の製品をもたらしたが、それらは廃棄物の課題にもなってる。これらの小袋製品の採用が増加するにつれ、コミュニティの廃棄物量は世界で増加すると予測されている。
【０００６】
不法投棄された使用済み小袋は、収集する経済的な動機がないので収集されないが、一方で、ペットボトルは収集されて返却されると、少額のお金が手に入る。
【０００７】
このように、廃棄物の持続可能性はアジアの国々で急速に問題になり、埋め立て地を氾濫させ、そうでない場合は、美しい景観から新しいものを作り出す脅威があり、汚染によって水供給を危険にさらす。
【０００８】
生分解性およびリサイクル可能な小袋は利用可能であるが、これらはより高価であり、そもそも小袋の形態で製品を提供するための主な正当な理由となる低価格製品の敏感な価格帯に影響を与える。
【０００９】
プラスチックとアルミニウムとのフィルムで包装することは、液体製品の包装に使用する場合、漏れを防ぐため小袋に特に不可欠であるが、リサイクル性や生分解性はない。したがって、製品の使用後に容易に収集でき、好ましくは安価な生分解性またはリサイクル可能な材料で作られた包装の必要性が残っている。
【００１０】
この技術は、充填されたブリスターパックの簡便かつ効率的な折り畳みをすでに教示している。
【００１１】
国際公開第２００７／０６７０５４号は、錠剤、丸剤またはカプセルのような物体のためのブリスターパックに関し、脆弱線（２）に沿って相互接続された複数の収容ユニット（１）を含む。収容ユニット（１）の各々は、穿孔可能な基材シート（５）と、該基材シート（５）に固定されるキャップ部（４）と、収容ユニット（１）の各々の該基材シート（５）とキャップ部（４）との間に形成される物体（６）を収容するための収容空間とを備え、該ブリスターパックは、複数の接続部分（３）を含み、その各々が、各場合において、２つの脆弱線（２）を介して少なくとも1つの収容ユニット（１）に接続されていることを特徴とする。
【００１２】
仏国特許出願公開第２６１０３００号明細書は、互いに接合および固定された２枚のシート、すなわち、シートの同じ側にセルを構成するために局所的に熱成形された比較的硬いプラスチック材料で作製された第１のシートと、該セルの開口部に亘って伸びる第２の比較的柔軟なシートとで構成される「ブリスター」パックに関する。当該パックは、隣接するセル（３）の間に延在する第１の比較的硬いシート（１）の部品（４）が、該パックの２つの対向する平行なエッジの間に延在し、各々のセル（３）を、それを被覆する第２の被覆シート（１）の片とともに、該セルの残りから自由自在に分離させることのできる脆弱線（５，６）を有することを特徴とする。
【００１３】
しかしながら、国際公開第２００７／０６７０５４号および仏国特許出願公開第２６１０３００号明細書は、製品が充填されたブリスターパックを折り畳むための教示を提供するが、使用済みのブリスターパックをコンパクトに折り畳むための解決策が依然として望まれている。
【先行技術文献】
【特許文献】
【００１４】
【特許文献１】国際公開第２００７／０６７０５４号
【特許文献２】仏国特許出願公開第２６１０３００号明細書
【発明の概要】
【発明が解決しようとする課題】
【００１５】
したがって、本発明の目的は、製品の使用後に容易に収集することができる包装を提供することである。
【００１６】
本発明の別の目的は、ゴミが散らばっているのが見られたときに消費者がそれを拾うのを促す包装を提供することである。
【００１７】
本発明のさらに別の目的は、プラスチックおよびアルミニウムを使用する必要性を排除する包装モデルを提供することである。
【００１８】
本発明のさらに別の目的は、包装にリサイクル可能なおよび／または生分解性の材料を使用する包装モデルを提供することである。
【００１９】
驚くべきことに、コンパクトな蛇腹の形態にある一連の空のブリスターパックがコンパクトな廃棄物収集を提供することが見出され、ここで、ブリスター（５）はすべて、互い違いに（in an alternating way）積み重ねたときにそれらの空洞が互いに嵌合する（fit）方法で、ブリスターの連の繰り返し単位が連結されるように、連（１）内で同じ形状を有する。
【００２０】
発明の概要
したがって、第１の態様において、本発明は、一連のブリスターパック（１）を含む包装材の収集方法を提供し、該方法は、ブリスターに含まれる製品（Ｐ）の使用後、空になった一連のブリスターパックが、蛇腹の折り畳みを形成し、ブリスター（５）はすべて、互い違いに（in an alternating way）積み重ねたときにそれらの空洞が互いに嵌合するような方法で、ブリスターの連の繰り返し単位が連結されるように、該連（１）内で同じ形状を有することを特徴とする。
【００２１】
本発明の文脈において、「ブリスターパック」への言及は、典型的には、小さな消費財、食品に使用される予形成包装、および、成形可能なウェブから作製された空洞またはポケット（ブリスター）を含む医薬品に使用される予形成包装を意味する。
【００２２】
本発明の文脈において、「蛇腹の折り畳み」への言及は、典型的には、蛇腹の様式で折り畳む（fold）か、一緒に押しつぶす(crush together)か、または、つぶす（collapse）ことを意味する。
【００２３】
本発明の文脈において、「連（chain）」への言及は、典型的には、互いに接続された一連のブリスターパックを意味する。
【００２４】
本発明の文脈において、「ＦＭＧＣ」への言及は、典型的には、動きの速い消費財を意味する。
【００２５】
本発明の文脈において、「脆弱線（line of weakness）」への言及は、典型的には、ブリスターパックが、好ましくは工具を使用せずに、より好ましくは手によって、その線に沿って、分離および／または折り畳むことができる線を意味する。
【００２６】
本発明の文脈において、空の／空になったブリスターパックへの言及は、典型的には、ブリスター内の製品が使用されたことを意味する。
【００２７】
これらのならびに他の、態様、特徴および利点は、以下の詳細な説明および添付の特許請求の範囲を読むことにより、当業者に明らかになるであろう。疑義を避けるため、本発明の一態様の任意の特徴を、本発明の他の任意の態様で利用することができる。「含む（comprising）」の語は、「含む（including）」を意味することを意図しているが、必ずしも「からなる（consisting of）」または「からなる（composed of）」を意味するものではない。言い換えると、列挙される工程または選択肢は、網羅的である必要はない。以下の説明で与えられる例は、本発明を明確にすることを意図しており、本発明をそれらの実施例自体に限定することを意図していないことに留意されたい。同様に、特に明記しない限り、割合はすべて、重量／重量パーセントである。実施例および比較例を除いて、または、明示的に示された場合を除き、原料の量または反応条件、原料の物理的特性および／または使用を示す本記載における数字はすべて、「約」という語によって修飾されると理解されるべきである。「ｘからｙ」の形式で表された数値範囲には、ｘとｙとが含まれるものと解される。特定の特徴に関して、複数の好ましい範囲が「ｘからｙ」の形式で記載される場合、様々な終点を組み合わせたすべての範囲も企図されることが理解される。
【００２８】
発明の詳細な説明
第１の態様において、本発明は、一連のブリスターパック（１）を含む包装材の収集方法に関し、当該方法は、ブリスターに含まれる製品（Ｐ）の使用後、空になった一連のブリスターパックが、蛇腹の折り畳みを形成し、ブリスター（５）はすべて、互い違いに（in an alternating way）積み重ねたときにそれらの空洞（cavity）が互いに嵌合するような方法でブリスターの連の繰り返し単位が連結されるように、当該連（１）内で同じ形状であることを特徴とする。
【００２９】
好ましくは、当該連は、蛇腹の折り畳みを形成するように折り畳まれる。
【００３０】
ブリスターパック（２）は、当該連内で互い違いに（in an alternating manner）配置されている。
【００３１】
ブリスターパックの連
本発明によるブリスターパックの連（１）は、互いに付着したブリスターパックの単一の連または複数の連であり得る。連は、吊り下げられた連であることが好ましい。
【００３２】
本発明のブリスターパック（２）は、互い違いに（in an alternating manner）配置され、ここにおいて、奇数のブリスターはすべて片側に面し、偶数のブリスターは当該連の反対側に面する。
【００３３】
ブリスターパック（２）の各々は、ブリスター（５）と裏材（backing）とを備える。
【００３４】
ブリスター（５）は、ブリスターパックにおいてウェブ（ブリスター）を形成するための、市販の任意の既知材料で作ることができる。ブリスター（５）は、生分解性のまたはリサイクル可能なプラスチックで作製されていることが好ましい。適切な生分解性のまたはリサイクル可能なプラスチックとしては、縦方向配向（ＭＤＯ）フィルム、特にポリエチレン、ＢＯＰＰ／ＰＥフィルム、ＢＯＰＰ／ＣＰＰフィルムから作製されたＭＤＯフィルムが挙げられる。
【００３５】
好ましい実施形態において、プラスチックは、生分解性およびリサイクル可能の両方であり得る。
【００３６】
ブリスター（５）は任意の形状であってよいが、コンパクトな蛇腹の折り畳みを形成するために、すべてのブリスター（５）は連（１）内で同じ形状であるべきである。
【００３７】
コンパクトな蛇腹の折り畳みとは、ブリスターの連の繰り返し単位が、互い違いに（in an alternating way）積み重ねたときにそれらの空洞が互いに嵌合するように連結されていることを意味する。かかる実施形態の１つが図４に示される。
【００３８】
理想的には、空洞は、わずかな角度、好ましくは１〜６０°、より好ましくは４５°未満、さらには３０°未満の壁を有することにより、互いに嵌合する。
【００３９】
ブリスターパックの各々は、１以上のブリスターを含むことができ、好ましくは少なくとも１つのブリスターを含むが、本発明の範囲では、２以上のブリスターを含むブリスターパック、例えば、シャンプーを備えた一方のブリスターとコンディショナーを備えた他方のブリスターという２つのブリスターを備えたブリスターパック、は除外されない。
【００４０】
裏材（backing）は、紙、アルミニウムまたはプラスチックなどの、ブリスターパックにおいて裏材を形成するための、市販の任意の既知材料で作製することができる。裏材は好ましくは、生分解性のまたはリサイクル可能な材料で作製されている。適切な生分解性のまたはリサイクル可能な材料としては、紙または厚紙（cardboard）が挙げられる。
【００４１】
好ましい実施形態において、材料は、生分解性および再利用可能の両方であり得る。
【００４２】
一実施形態において、ブリスターおよび裏材は同じ材料で作製されている。
【００４３】
別の実施形態において、ブリスターは、連の全体に沿って連続的に走る材料で作製され、裏材は、異なる材料で作製され、交互の側で（on alternating sides）空洞を封止する。
【００４４】
さらに別の実施形態において、裏材は、連の全体に沿って連続的に走る材料で作製され、ブリスターは、異なる材料で作製され、交互の側で（on alternating sides）製品を覆う。
【００４５】
折り畳み可能領域
各ブリスターパック（２）の間において、裏材には、折り畳み可能領域（３）が提供され、当該領域は、パック間の折り畳みを容易にするため、当該裏材の残部よりも弱いことが好ましい。
【００４６】
折り畳み可能領域は好ましくは、脆弱線（４）を含むことが好ましく、これに沿って、ブリスターパック（２）を分離および／または折り畳むことができる。
【００４７】
脆弱線（４）は、折り畳みおよび／または引き裂くことのできる裏材よりも薄いか、または弱い材料を使用するなど、連続的であり得る。脆弱線（４）は、切り込みや穴のあいた不連続な場合もある。
【００４８】
好ましい実施形態において、折り畳み可能領域（３）は、それに沿ってブリスターパック（２）を折り畳むことのできる溝（６）を含む。溝はさらに、脆弱線（４）を含んでもよい。脆弱線（４）の特性は、すぐ上の段落の記載に従うものであってもよい。溝は、消費者に折り畳むことを案内する、および、折り畳みの様式を制御するのに特に役立つことが見出されている。また、空洞が相互に内側に折りたたまれることも確実にする。溝はすべて同じ方向に突出していてもよいし、互い違いになっていてもよい。
【００４９】
ブリスターパックの連（１）は、製品（Ｐ）の使用の前後で蛇腹の折り畳みを形成することができるが、パック間の角度（α）は変化する。製品（Ｐ）の使用後、空洞は互いに嵌合し、コンパクトな蛇腹の折り畳みを形成する。好ましくは、ブリスターパックの連（１）は、当該連内の少なくとも２つの製品が使用された後、コンパクトな蛇腹の折り畳みを形成する。
【００５０】
製品（Ｐ）の使用前に当該連が蛇腹の折り畳みになっている場合、折り畳み可能領域（３）において、ブリスターパック（２）の角度は、４０°〜１８０°（α）、好ましくは少なくとも５０°、より好ましくは少なくとも６０°、さらにより好ましくは少なくとも７０°、さらにより好ましくは少なくとも８０°であるが、典型的には１６０°以下、好ましくは１４０°以下、より好ましくは１２０°以下、さらにより好ましくは１００°以下、より好ましくは９０°以下である。
【００５１】
製品（Ｐ）の使用後に当該連がコンパクトな蛇腹の折り畳みになっている場合、折り畳み可能領域（３）において、ブリスターパック（２）の角度は、０°〜２５°（α）、好ましくは少なくとも２．５°、より好ましくは少なくとも５°、より好ましくは少なくとも８°、さらにより好ましくは少なくとも１０°、さらにより好ましくは少なくとも１３°であるが、典型的には２３°以下、好ましくは２０°以下、より好ましくは１８°以下、さらにより好ましくは１５°以下である。
【００５２】
製品（Ｐ）の使用後、開封したブリスターパックの連は、一つを他方に重ねて、コンパクトに積み重ねることができ、廃棄または収集に好都合となる。
【００５３】
本発明による包装材の収集方法は、本発明による空のブリスターパックの連を提供する工程；続いて、当該連を折り畳んで蛇腹の折り畳みを形成する工程を含み、ここで、ブリスター（５）はすべて、互い違いに積み重ねるとき、ブリスターの連の繰り返し単位が、空洞が互いに嵌合する方法で連結されるように当該連（１）内で同じ形状である。
【００５４】
製品
本発明による製品（Ｐ）は、使用中の製品の消耗を回避するために、ゲルなどの固体または半固体の形態であることが好ましい。
【００５５】
製品（Ｐ）は、典型的には、使用前に溶媒を使用して溶解することができる脱水した製品である。
【００５６】
製品（Ｐ）は、全製品組成に対して、５０重量％未満の水、好ましくは４５重量％未満、より好ましくは４０重量％未満、さらにより好ましくは３５重量％未満、さらにより好ましくは３０重量％未満、またはさらには２５重量％未満、または２０重量％未満、またはさらには１５重量％未満、またはさらには１０重量％未満の水を含む。
【００５７】
本発明の製品（Ｐ）は、好ましくはＦＭＣＧ製品であり、特に、パーソナルケア、ホームケアまたは食品製品である。ホームケア製品は、洗剤タブレット（例えば、洗濯または食器用洗剤など）、洗浄剤組成物タブレット、浄水剤組成物であり得る。食品製品としては、ブイヨンキューブ、濃縮食品、インスタントスープまたはソース、チューインガム、インスタントドレッシングが挙げられる。パーソナルケア製品としては、シャンプー、コンディショナー、石鹸（手洗い、洗顔、ボディウォッシュ／シャワージェルなど）、マウスウォッシュ、密着洗浄、シェービングジェルなどの洗剤組成物が挙げられる。
【００５８】
好ましくは、製品（Ｐ）はパーソナルケア製品であり、脱水型のシャンプー、コンディショナーまたはボディウォッシュ／シャワージェルである。
【００５９】
各ブリスターパックは、ブリスター内に１以上の製品を含むことができ、好ましくは少なくとも１つの製品を含むが、本発明の範囲では、２つ以上の製品を含むブリスター、例えば、シャンプーとコンディショナーとを含むブリスターを含むブリスターパックは除外されない。複数の製品の場合、これらの製品は同じでも異なっていてもよい。
【００６０】
各ブリスターパックは、好ましくは、一単位用量の製品を提供する。
【図面の簡単な説明】
【００６１】
【図１Ａ】図１Ａは、互い違いに配置されたブリスターパックの吊り下げ連の斜視図である。
【図１Ｂ】図１Ｂは、互い違いに配置されたブリスターパックの吊り下げ連の側面図である。
【図２】図２は、未使用のブリスターパックの、蛇腹の折り畳みの連の側面図である。
【図３】図３は、コンパクトな蛇腹に折り畳まれる、使用済みのブリスターパックの連の側面図である。
【図４】図４は、コンパクトな蛇腹の、使用済みブリスターパックの連の側面図である。
【図５】図５は、脆弱線と溝とを有する、互い違いに配置したブリスターパックの連の側面図である。製品（Ｐ）の使用後、折り畳み可能領域（３）で、パックを０°〜２５°（α）の角度のコンパクトな蛇腹の形態に折り畳むことができることは明らかである。
【図１Ａ】
2021500274.tif 000003
【図１Ｂ】
2021500274.tif 000004
【図２】
2021500274.tif 000005
【図３】
2021500274.tif 000006
【図４】
2021500274.tif 000007
【図５】
2021500274.tif 000008
【国際調査報告】
2021500274.tif 000009
2021500274.tif 000010